(57)【特許請求の範囲】
【請求項１】
第１の携帯電話機と第２の携帯電話機とを具備した携帯電話システムにおいて、
第１の携帯電話機は、
第１の操作手段と、
この第１の操作手段において第１の所定操作が行われたことを条件として別の携帯電話機に固有に付与されていた電話番号を旧電話機情報とすると共に自己に固有に付与されている電話番号を新電話機情報として送信手段から電子メールによって第２の携帯電話機に送信させる第１の制御手段とを備え、
第２の携帯電話機は、
少なくとも電話番号と当該電話番号がユーザのログイン名とされている電子メールアドレスとを含むメモリダイヤル情報を電話機情報として記憶する記憶手段と、
第１の携帯電話機から電話機情報を受信する受信手段と、
第２の操作手段と、
前記受信手段が第１の携帯電話機から旧電話機情報として受信した電話番号と前記記憶手段にメモリダイヤル情報として記憶されている電話番号とが一致したときに前記第２の操作手段において第２の所定操作が行われたことを条件として当該記憶手段にメモリダイヤル情報として記憶されている電話番号を前記受信手段が第１の携帯電話機から新電話機情報として受信した電話番号に更新すると共に当該記憶手段にメモリダイヤル情報として記憶されている当該電話番号がユーザのログイン名とされている電子メールアドレスを前記受信手段が第１の携帯電話機から新電話機情報として受信した電話番号がユーザのログイン名とされる電子メールアドレスに更新する第２の制御手段とを備えたことを特徴とする携帯電話システム。
【発明の詳細な説明】
【０００１】
【発明の属する技術分野】
本発明は、少なくとも２つの携帯電話機を備えてなる携帯電話システムに関する。
【０００２】
【発明が解決しようとする課題】
携帯電話機は、一般的には、電話番号、電子メールアドレスおよび氏名などを単位とする複数件（例えば１００件）分の個人データをメモリダイヤル情報として記憶可能に構成されており、携帯電話機を使用するユーザは、メモリダイヤル情報を登録しておくことによって、例えば簡単な操作で発信操作を行ったり、個人に対して固有の着信メロディを設定したりすることが可能となる。さて、携帯電話機を使用するユーザが携帯電話機を買換える場合には、携帯電話機を買換えたユーザは、これまで使用していた旧携帯電話機に登録していたメモリダイヤル情報を、これから使用する新携帯電話機に転送することによって、メモリダイヤル情報を新たに新携帯電話機に最初から入力することなく、これまで使用していたメモリダイヤル情報を継続して使用することができるものである。
【０００３】
ところで、携帯電話機を買換えたことに伴って電話番号を変更したような場合には、携帯電話機を買換えたユーザから見れば、その旨を例えば電話や電子メールによって他の人に知らせる必要があり、また、その旨を例えば電話や電子メールによって知らされたユーザから見れば、電話番号の変更を知らされたことに伴ってメモリダイヤル情報を更新する必要がある。しかしながら、これらの操作は、ユーザにとっては煩雑なものであり、従来のものは、このような点で、使い勝手に劣るものであった。
【０００４】
本発明は、上記した事情に鑑みてなされたものであり、その目的は、携帯電話機を買換えたことに伴って電話番号などの電話機情報を変更したような場合に、簡単に対応することができ、使い勝手を高めることができる携帯電話システムを提供することにある。
【０００５】
【課題を解決するための手段】
請求項１記載の携帯電話システムによれば、第１の携帯電話機において、第１の操作手段において第１の所定操作が行われると、第１の制御手段は、別の携帯電話機に固有に付与されていた電話番号を旧電話機情報とすると共に自己に固有に付与されている電話番号を新電話機情報として送信手段から電子メールによって第２の携帯電話機に送信させる。そして、第２の携帯電話機において、第１の携帯電話機から受信手段が旧電話機情報として電話番号を受信すると、第２の制御手段は、受信手段が第１の携帯電話機から旧電話機情報として受信した電話番号と、記憶手段にメモリダイヤル情報として記憶されている電話番号とが一致したときには、第２の操作手段において第２の所定操作が行われると、記憶手段にメモリダイヤル情報として記憶されている電話番号を受信手段が第１の携帯電話機から新電話機情報として受信した電話番号に更新すると共に、記憶手段にメモリダイヤル情報として記憶されている当該電話番号がユーザのログイン名とされている電子メールアドレスを受信手段が第１の携帯電話機から新電話機情報として受信した電話番号がユーザのログイン名とされる電子メールアドレスに更新する。
【０００６】
したがって、第１の携帯電話機を使用するユーザは、別の携帯電話機から当該第１の携帯電話機に買換えたことに伴って電話機情報が変更された場合であっても、第１の所定操作を行うことによって、その旨を第２の携帯電話機を使用するユーザに簡単に知らせることができ、また、第２の携帯電話機を使用するユーザは、第１の携帯電話機から電話機情報の変更が知らされたことに伴って電話機情報を更新する必要が生じても、第２の所定操作を行うことによって、電話機情報を簡単に更新することができ、使い勝手を高めることができる。
【００１５】
【発明の実施の形態】
以下、本発明の一実施例について、図面を参照して説明する。
まず、図１は、携帯電話システムの構成を概略的に示している。携帯電話機１１および携帯電話機２１は、それぞれ電子メール機能を有しており、携帯電話機１１は、例えば無線基地局３１の圏内に位置している条件の下では、無線基地局３１を通じて電話網３２側の電子メールサーバ３３との間で電子メールを送受信することが可能に構成されており、また、携帯電話機２１は、例えば無線基地局３４の圏内に位置している条件の下では、電話網３２側の電子メールサーバ３３との間で無線基地局３４を通じて電子メールを送受信することが可能に構成されている。
【００１６】
図２は、上記した携帯電話機１１，２１の電気的な構成を機能ブロック図として示している。尚、ここでは、携帯電話機１１が本発明でいう第１の携帯電話機であり、携帯電話機２１が本発明でいう第２の携帯電話機であることを前提とする。携帯電話機１１は、マイクロコンピュータを主体としてなるＣＰＵ（Central Processing Unit ）１２（本発明でいう第１の制御手段）に、無線処理を行う無線部１３（本発明でいう送信手段）、送話音声を入力するマイクロホン１４、受話音声を出力するスピーカ１５、「通話開始」キー、「通話終了」キー、「Ｆ（ファンクション）」キー、「０」〜「９」の「数字」キーなどの多数のキーを配列してなるキーパッド１６（本発明でいう第１の操作手段）、ＬＣＤ（Liquid Crystal Display）１７ならびにメモリ１８を接続して構成されている。この場合、メモリ１８は、図３に示すように、電話番号、電子メールアドレス、氏名、グループおよび住所を単位とする複数件分の個人データをメモリダイヤル情報として記憶している。
【００１７】
一方、携帯電話機２１は、上記した携帯電話機１１と同じ構成であり、マイクロコンピュータを主体としてなるＣＰＵ２２（本発明でいう第２の制御手段）に、無線処理を行う無線部２３（本発明でいう受信手段）、送話音声を入力するマイクロホン２４、受話音声を出力するスピーカ２５、キーパッド２６（本発明でいう第２の操作手段）、ＬＣＤ２７ならびにメモリ２８（本発明でいう記憶手段）を接続して構成されている。この場合、メモリ２８は、図４（ａ）に示すように、電話番号、電子メールアドレス、氏名、グループおよび住所を単位とする複数件分の個人データをメモリダイヤル情報として記憶している。
【００１８】
次に、上記した構成の作用について、図５ないし図９も参照して説明する。ここで、携帯電話機１１を使用するユーザは、これよりも以前に携帯電話機４１  （図１参照）を使用しており、携帯電話機４１から携帯電話機１１に買換えたものであり、また、携帯電話機１１には「０９０１１１ＮＮＮＮＮ」の電話番号が付与されており、携帯電話機２１には「０９０５５５ＮＮＮＮＮ」の電話番号が付与されており、携帯電話機４１には「０９０９９９ＮＮＮＮＮ」の電話番号が過去に付与されていたものであることを前提とする。尚、「ＮＮＮＮＮ」は、電話番号の一部として許可されている番号である。
【００１９】
まず、携帯電話機１１において、ＣＰＵ１２は、電源が投入されて待受処理を行っているときに、電話番号変更通知を行うための所定のキーが操作されたことを検出すると、電話番号変更通知処理に移行し、電話番号を入力する操作を促す表示画面（図７（ａ）参照）をＬＣＤ１７に表示させ（ステップＳ１）、電話番号を入力するキーの操作を待機する（ステップＳ２）。
【００２０】
そして、ＣＰＵ１２は、電話番号を入力するキーが操作され、電話番号が入力されたことを検出すると、ステップＳ２において「ＹＥＳ」と判定し、送信先を入力・選択する操作を促す表示画面（図７（ｂ）参照）をＬＣＤ１７に表示させ（ステップＳ３）、送信先を入力・選択するキーの操作を待機する（ステップＳ４）。
【００２１】
そして、ＣＰＵ１２は、送信先を入力・選択するキーが操作され、送信先が入力・選択されたことを検出すると、ステップＳ４において「ＹＥＳ」と判定し、電話番号変更通知メールを作成する（ステップＳ５）。この場合、ＣＰＵ１２は、電話番号変更通知メールの書式をあらかじめ設定しており、先に入力された電話番号を旧電話番号として旧電話番号格納領域に格納すると共に、自己に付与されている電話番号、つまり、携帯電話機１１に付与されている電話番号を新電話番号として新電話番号格納領域に格納する。
【００２２】
次いで、ＣＰＵ１２は、電話番号変更通知メールを送信させる操作を促す表示画面（図７（ｃ）参照）をＬＣＤ１７に表示させ（ステップＳ６）、電話番号変更通知メールを送信させるキーの操作を待機する（ステップＳ７）。そして、ＣＰＵ１２は、電話番号変更通知メールを送信させるキーが操作されたことを検出すると、ステップＳ７において「ＹＥＳ」と判定し、先に作成した電話番号変更通知メールを電話網３２側の電子メールサーバ３３に送信させる（ステップＳ８）。
【００２３】
このような処理によって、携帯電話機１１を使用するユーザは、これよりも以前に使用していた携帯電話機４１の電話番号「０９０９９９ＮＮＮＮＮ」を入力するキーを操作し、送信先として例えばメモリダイヤル情報として登録している電話番号「０９０５５５ＮＮＮＮＮ」の携帯電話機２１を選択するキーを操作することによって、携帯電話機４１の電話番号を旧電話番号として格納すると共に携帯電話機１１の電話番号を新電話番号として格納する電話番号変更通知メールを作成することが可能となり、次いで、電話番号変更通知メールを送信させるキーを操作することによって、作成された電話番号変更通知メールを携帯電話機２１に送信させることが可能となる。この場合、本発明でいう第１の所定操作は、これら電話番号を入力する操作、送信先を入力・選択する操作および電話番号変更通知メールを送信させる操作である。
【００２４】
これを受けて、携帯電話機２１において、ＣＰＵ２２は、電源が投入されて待受処理を行っているときに、電子メールサーバ３３から電話番号変更通知メールを受信したことを検出すると、ステップＴ１において「ＹＥＳ」と判定し、電話番号変更通知メールの到着を通知すると共に当該電話番号変更通知メールを処理する操作を促す表示画面（図８（ａ）参照）をＬＣＤ２７に表示させ（ステップＴ２）、電話番号変更通知メールを処理するキーの操作を待機する（ステップＴ３）。
【００２５】
そして、ＣＰＵ２２は、電話番号変更通知メールを処理するキーが操作されたことを検出すると、ステップＴ３において「ＹＥＳ」と判定し、受信された電話番号変更通知メールを解析し、電話番号変更通知メール内にあって旧電話番号格納領域に旧電話番号として格納されている電話番号を認識する（ステップＴ４）。次いで、ＣＰＵ２２は、メモリダイヤル情報を検索し（ステップＴ５）、電話番号変更通知メール内にあって旧電話番号として格納されていた電話番号と、メモリダイヤル情報として記憶されているいずれかの電話番号とが一致するか否かを判定する（ステップＴ６）。
【００２６】
ここで、ＣＰＵ２２は、電話番号変更通知メール内にあって旧電話番号として格納されていた電話番号と、メモリダイヤル情報として記憶されているいずれかの電話番号とが一致することを検出すると、ステップＴ６において「ＹＥＳ」と判定し、その旨を通知すると共にメモリダイヤル情報として記憶されている当該電話番号を更新する操作を促す表示画面（図８（ｂ）参照）をＬＣＤ２７に表示させ（ステップＴ７）、当該電話番号を更新するキーの操作を待機する（ステップＴ８）。
【００２７】
そして、ＣＰＵ２２は、当該電話番号を更新するキーが操作されたことを検出すると、ステップＴ８において「ＹＥＳ」と判定し、電話番号変更通知メール内にあって新電話番号格納領域に新電話番号として格納されている電話番号を認識する（ステップＴ９）。そして、ＣＰＵ２２は、メモリダイヤル情報として記憶されている当該電話番号を、電話番号変更通知メール内にあって新電話番号格納領域に新電話番号として格納されている電話番号に更新する（ステップＴ１０）。
【００２８】
このような処理によって、携帯電話機２１を使用するユーザは、メモリダイヤル情報として記憶されている電話番号を更新するキーを操作することによって、この場合であれば、図４（ｂ）に示すように、携帯電話機４１の電話番号「０９０９９９ＮＮＮＮＮ」を、携帯電話機１１の電話番号「０９０１１１ＮＮＮＮＮ」に更新することが可能となる。また、電子メールアドレスにあってユーザのログイン名（「＠（アットマーク）よりも前の部分」）が電話番号である場合であれば、携帯電話機４１の電子メールアドレス「090999NNNNN@XXX.XX.XX 」を、携帯電話機１１の電子メールアドレス「090111NNNNN@XXX.XX.XX 」に更新することをも可能となる。この場合、「XXX.XX.XX 」は、ドメイン名として許可されている英字や数字の列である。また、本発明でいう第２の所定操作は、メモリダイヤル情報として記憶されている電話番号を更新する操作である。
【００２９】
これに対して、ＣＰＵ２２は、電話番号変更通知メール内にあって旧電話番号として格納されていた電話番号と、メモリダイヤル情報として記憶されているいずれの電話番号とが一致しないことを検出すると、ステップＴ６において「ＮＯ」と判定し、その旨を通知すると共に当該電話番号をメモリダイヤル情報として新たに登録する操作を促す表示画面（図８（ｃ）参照）をＬＣＤ２７に表示させ（ステップＴ１１）、当該電話番号を登録するキーの操作を待機する（ステップＴ１２）。
【００３０】
そして、ＣＰＵ２２は、当該電話番号を登録するキーが操作されたことを検出すると、ステップＴ１２において「ＹＥＳ」と判定し、電話番号変更通知メール内にあって新電話番号格納領域に新電話番号として格納されている電話番号を認識する（ステップＴ１３）。そして、ＣＰＵ２２は、電話番号変更通知メール内にあって新電話番号格納領域に新電話番号として格納されている電話番号をメモリダイヤル情報として新たに登録する（ステップＴ１４）。
【００３１】
このような処理によって、携帯電話機２１を使用するユーザは、メモリダイヤル情報として新たに登録するキーを操作することによって、この場合であれば、携帯電話機１１の電話番号「０９０１１１ＮＮＮＮＮ」をメモリダイヤル情報として新たに登録することが可能となる。
【００３２】
ところで、以上は、携帯電話機１１において、送信先をメモリダイヤル情報として登録している電話番号「０９０５５５ＮＮＮＮＮ」の携帯電話機２１を選択した場合を説明したものであるが、例えば図９に示すような表示画面の遷移にしたがって、メモリダイヤル情報として登録している携帯電話機の全部を選択し、電話番号変更通知メールを全部の携帯電話機に送信しても良く（図９（ａ）、  （ｄ）参照）、また、メモリダイヤル情報として登録している携帯電話機をグループ単位で選択し、電話番号変更通知メールを特定のグループに属する携帯電話機のみに送信しても良い（図９（ｂ）、（ｅ）参照）。さらに、携帯電話機１１において、送信先をメモリダイヤル情報から選択するのでなく、電話番号を個別に入力して決定しても良い。
【００３３】
また、携帯電話機２１において、上記したように電話番号を更新した場合であっても、当該電話番号に関連する設定が無効になることはなく、具体的には、電話番号「０９０９９９ＮＮＮＮＮ」に対して個別に着信メロディが設定されていた場合であれば、電話番号「０９０９９９ＮＮＮＮＮ」から電話番号「０９０１１１ＮＮＮＮＮ」に更新した場合であっても、電話番号「０９０１１１ＮＮＮＮＮ」に対して個別に着信メロディが設定されることになる。さらに、携帯電話機１１，２１において、上記した処理を行うプログラムを例えばサーバからダウンロード可能な構成であっても良い。
【００３４】
以上に説明したように本実施例によれば、携帯電話機１１において、所定のキーが操作されると、携帯電話機４１の電話番号を旧電話番号として格納すると共に携帯電話機１１の電話番号を新電話番号として格納する電話番号変更通知メールを送信するように構成し、一方、携帯電話機２１において、所定のキーが操作されると、携帯電話機４１の電話番号「０９０９９９ＮＮＮＮＮ」を、携帯電話機１１の電話番号「０９０１１１ＮＮＮＮＮ」に更新するように構成した。したがって、携帯電話機１１を使用するユーザは、携帯電話機４１から携帯電話機１１に買換えたことに伴って電話番号が変更された場合であっても、所定のキーを操作することによって、その旨を携帯電話機２１を使用するユーザに簡単に知らせることができ、また、携帯電話機２１を使用するユーザは、携帯電話機１１から電話番号の変更が知らされたことに伴って電話番号を更新する必要が生じても、所定のキーを操作することによって、電話番号を簡単に更新することができ、使い勝手を高めることができる。
【００３５】
また、電話番号を電子メールによって送受信するように構成したので、電子メールの機能を活用することによって、携帯電話機１１を使用するユーザは、例えば所定のキーを１回操作するのみで、電話番号が変更された旨を複数のユーザに簡単に知らせることができ、また、電子メールサーバ３３を介在することによって、携帯電話機２１が圏外であっても送信することができ、さらに、メールソフトのプロトコルが統一されていれば、異なる事業者間であっても実現することができる。
【００３６】
本発明は、上記した実施例にのみ限定されるものでなく、次のように変形または拡張することができる。
携帯電話機１１，２１における表示画面の形式は、他の形式であっても良い。電話番号変更通知メールの書式は、他の書式であって良く、旧電話番号を格納する旧電話番号格納領域および新電話番号を格納する新電話番号格納領域の他に、ユーザ情報を格納するユーザ情報格納領域などがあっても良い。
【００３７】
電話番号が変更された場合に限らず、電子メールアドレスのみが変更された場合であっても、その旨を通知する電子メールアドレス変更通知メールを作成し、送信させる構成であっても良い。
【図面の簡単な説明】
【図１】本発明の一実施例を概略的に示す図
【図２】電気的な構成を示す機能ブロック図
【図３】メモリダイヤル情報の一例を示す図
【図４】図３相当図
【図５】フローチャート
【図６】図５相当図
【図７】表示画面の遷移の一例を示す図
【図８】図７相当図
【図９】図７相当図
【符号の説明】
図面中、１１は携帯電話機（第１の携帯電話機）、１２はＣＰＵ（第１の制御手段）、１３は無線部（送信手段）、１６はキーパッド（第１の操作手段）、２１は携帯電話機（第２の携帯電話機）、２２はＣＰＵ（第２の制御手段）、２３は無線部（受信手段）、２６はキーパッド（第２の操作手段）、２８はメモリ  （記憶手段）である。
【図１】
0003758509.tif 000002
【図２】
0003758509.tif 000003
【図３】
0003758509.tif 000004
【図４】
0003758509.tif 000005
【図５】
0003758509.tif 000006
【図６】
0003758509.tif 000007
【図７】
0003758509.tif 000008
【図８】
0003758509.tif 000009
【図９】
0003758509.tif 000010